(57)【要約】【課題】高圧用金属製容器の廃品を長期間に亘り再利用できるばかりか、その廃棄後も更に再活用することができ、廃棄物資源の有効利用ができることで、地球の環境問題に大きな貢献を果たすことができる植物栽培用プランターを提供することを課題とする。【解決手段】高圧用金属製容器４の廃品を切断して上方が開口するよう形成したプランター本体１の内外の全表面に防錆塗料を塗布すると共に、そのプランター本体１の底面に水抜き孔２や支持脚３を設けることにより植物栽培用プランターを製作した。【選択図】図１
2008092872.tif 000002
【特許請求の範囲】
【請求項１】
高圧用金属製容器の廃品を切断して上方が開口するよう形成したプランター本体の内外の全表面に防錆塗料を塗布すると共に、そのプランター本体の底面に水抜き孔を形成したことを特徴とする植物栽培用プランター。
【請求項２】
前記プランター本体の下方には支持脚が設けられていることを特徴とする請求項１記載の植物栽培用プランター。
【請求項３】
前記プランター本体は、前記高圧用金属製容器の廃品をその軸方向と平行に２分割して形成したものであることを特徴とする請求項１または２記載の植物栽培用プランター。
【請求項４】
前記プランター本体は、前記高圧用金属製容器の廃品の上下端部を輪切りするようにして切断された下鏡部或いは上鏡部を主に形成されていることを特徴とする請求項１または２記載の植物栽培用プランター。
【請求項５】
前記プランター本体は、前記高圧用金属製容器の廃品からその上下端部が輪切りするようにして切断除去された円筒状の部位が、その軸方向と平行に２分割された半円筒体と、その半円筒体の開放した両側端面を被覆する端面板で形成されていることを特徴とする請求項１または２記載の植物栽培用プランター。
【発明の詳細な説明】
【技術分野】
【０００１】
本発明は、花や植木のような植物を植栽する家庭用や業務用、或いは公園用等の植物栽培用プランターに関するものである。
【背景技術】
【０００２】
従来から花や植木のような植物を植栽するためにプランターが広く用いられてきた。市販されている一般のプランターは、プラスチック、木材、陶器、グラスファイバー（ＦＲＰ）等の材料で作られていたが、それぞれ次のような欠点があった。
【０００３】
プラスチック製のプランターは、日光の紫外線に弱く１〜２年で劣化してしまい、その寿命が非常に短かった。また、廃棄プランターのリサイクルは、廃プラスチックとして処理しなければならなかった。木製のプランターは、雨水等で腐食劣化するためにその寿命はせいぜい２〜３年であった。また、廃棄プランターは焼却処分するしかなかった。陶器製のプランターは、その寿命が半永久ではあるが、割れる可能性が高く非常に取り扱いしにくいものであった。また、廃棄プランターは埋め立て処分するしかなかった。グラスファイバー（ＦＲＰ）製のプランターは、前記プラスチック製のプランターに比較してその寿命は長いが、廃棄プランターの処分は非常に困難であった。
【０００４】
また、最近、地球環境保護のため廃品をリサイクルするという考えから、廃棄プランターを再利用することは勿論ではあるが、廃品を再利用したプランターも開発されている。例えば、特許文献１、２、３、４にはそのような廃品を利用したプランターが記載されている。
【特許文献１】特開平１１−３０８９２８号公報
【特許文献２】特開２００２−６５０５６号公報
【特許文献３】特開２００３−３３９２４４号公報
【特許文献４】特開２００５−２１８４３４号公報
【０００５】
前記各特許文献記載のプランターのうち、特許文献１記載のプランターは廃タイヤを再利用したプランター、特許文献２記載のプランターはウィスキーやワイン、酒等の木製の廃樽を再利用したプランター、特許文献３記載のプランターは電力・通信ケーブル及び電線用の木製ドラムを再利用したプランター、特許文献４記載のプランターは建築用外装材の廃材を再利用したプランターである。
【０００６】
このようなプランターは廃品を再利用したという点でリサイクルの価値はあるが、そのプランターが寿命を終えた時、更に再活用できるものではなかった。また、特許文献１記載のプランターはゴム製、特許文献２及び３記載のプランターは木製であって、特許文献４記載のプランターを除きそのいずれもが経年劣化の可能性があり長期間に亘り利用できるものではなかった。
【発明の開示】
【発明が解決しようとする課題】
【０００７】
本発明は上記従来の欠点を除去せんとして発明したものであって、廃品を長期間に亘り再利用できるばかりか、その廃棄後も更に再活用することができ、廃棄物資源の有効利用ができることで、地球の環境問題に大きな貢献を果たすことができる植物栽培用プランターを提供することを課題とするものである。
【課題を解決するための手段】
【０００８】
請求項１記載の発明は、高圧用金属製容器の廃品を切断して上方が開口するよう形成したプランター本体の内外の全表面に防錆塗料を塗布すると共に、そのプランター本体の底面に水抜き孔を形成したことを特徴とする植物栽培用プランターである。
【０００９】
請求項２記載の発明は、前記プランター本体の下方には支持脚が設けられていることを特徴とする請求項１記載の植物栽培用プランターである。
【００１０】
請求項３記載の発明は、前記プランター本体は、前記高圧用金属製容器の廃品をその軸方向と平行に２分割して形成したものであることを特徴とする請求項１または２記載の植物栽培用プランターである。
【００１１】
請求項４記載の発明は、前記プランター本体は、前記高圧用金属製容器の廃品の上下端部を輪切りするようにして切断された下鏡部或いは上鏡部を主に形成されていることを特徴とする請求項１または２記載の植物栽培用プランターである。
【００１２】
請求項５記載の発明は、前記プランター本体は、前記高圧用金属製容器の廃品からその上下端部が輪切りするようにして切断除去された円筒状の部位が、その軸方向と平行に２分割された半円筒体と、その半円筒体の開放した両側端面を被覆する端面板で形成されていることを特徴とする請求項１または２記載の植物栽培用プランターである。
【発明の効果】
【００１３】
本発明の植物栽培用プランターによると、高圧用金属製容器の廃品をプランターとして長期間に亘り再利用できるばかりか、その廃棄後も鉄スクラップやアルミニウムスクラップ等の金属スクラップ（金属原料）として更に再活用することができ、廃棄物資源の有効利用ができる。また、金属製であるため日光の紫外線に対し永久的な耐力がある。また、防錆塗装をしているため木製より遥かに腐食劣化しにくい。更には、圧力容器を形成する金属板を使用しているため非常に強靭である。
【発明を実施するための最良の形態】
【００１４】
以下、本発明を添付図面に示す実施形態に基づいて更に詳細に説明する。
【００１５】
高圧用金属製容器４には、図１５に示すような上鏡部７と下鏡部８より成る２部制容器と、図１６に示すような上鏡部７と下鏡部８とその間の直胴部９より成る３部制容器がある。夫々の高圧用金属製容器４は、上鏡部７と下鏡部８、或いは、上鏡部７と直胴部９及び直胴部９と下鏡部８の端部を、夫々嵌合溶接することにより組み立てられていた。なお、図１５及び図１６に示す１０は高圧用金属製容器４を支持する脚の役目を果たすスカート、１１は上鏡部７の上面に設けられた口金、１２はその口金１１上に設けられたバルブ、１３は上鏡部７の上面に設けられたプロテクターである。
【００１６】
このような高圧用金属製容器４には、ＬＰガスのガスボンベのほか、酸素、窒素、アルゴン、水素、ヘリウム、空気、液化炭素ガス、液化ブタン、溶解アセチレン、液化アンモニア等の気体や液体を貯蔵するボンベ、消火器用のボンベ等がある。ＬＰガスのガスボンベについては、新造後２０年までは５年毎に再検査が、２０年経過後は１年毎の再検査が夫々義務付けられている。従って、大半のものは２０年で廃棄処分されているのが現状である。
【００１７】
この高圧用金属製容器４の廃品を利用して本発明の植物栽培用プランターＡは製作されるのである。以下、その各種植物栽培用プランターＡについて、製作方法と共に図面に基づいて詳細に説明する。なお、以下の図面に基づく説明では、まず、３部制容器から植物栽培用プランターＡを製作する場合について説明する。
【００１８】
まず、図２（ａ），（ｂ）に示すように、高圧用金属製容器４の廃品を倒した状態で（必ず倒す必要はなく立てた状態でも良い。）その軸方向と平行に切断することにより２分割し、図３（ａ），（ｂ）に示すような形状とする。この切断は、鋸切断、ガス切断、プラズマ切断、レーザー切断の何れの方法によっても可能であるが、切断面はグラーンダーによる端面処理を行う必要がある。なお、バルブ１２は切断前に事前に取り外す。プロテクター１３が取り付けられている場合はプロテクター１３も切断前に事前に取り外す。
【００１９】
図３（ａ），（ｂ）に示すものが本発明で述べるプランター本体１であり、この状態でプランター本体１は上方向が開口する。その後、プランター本体１の底面の両端近傍には図３（ａ）に示す左右２箇所に水抜き孔２を形成する。ここで示す水抜き孔２はプランター本体１の底面に穿孔した孔とその孔を覆うようにプランター本体１の底面から垂下する管より成るが、単に孔だけであっても良い。また、前記したように、水抜き孔２は必ず２箇所に設ける必要はなく、１箇所或いは３箇所以上に設けても良い。
【００２０】
水抜き孔２を設けるのと相前後し、プランター本体１の底面には左右１対の支持脚３が設けられる。支持脚３はプランター本体１と同じ金属製であることが望ましくプランター本体１の底面に溶接等で取り付けられる。図３（ａ），（ｂ）に示す支持脚３は厚肉の板状であり、プランター本体１の底面に溶接等で取り付けられるその上縁は、プランター本体１の底面に沿うよう円弧状となっている。
【００２１】
なお、支持脚３も必ず２箇所に設ける必要はなく、３箇所以上に設けても良い。また、支持脚３の形状は必ずしも板状である必要はなく、例えば柱状等の他の形状であっても良い。また、櫓状であれば支持脚３は一つとなる。なお、支持脚３が金属製であれば、廃棄後も鉄スクラップやアルミニウムスクラップ等の金属スクラップ（金属原料）として再活用することができるが、支持脚３は確実な支持強度を得られれば良く必ずしも金属製である必要はない。また、上記説明では、支持脚３はプランター本体１の底面に溶接等で取り付けられると説明したが、例えば櫓状であれば支持脚２は必ずしもプランター本体１の底面に溶接等で取り付けられる必要はなく、プランター本体１とは別体のプランター本体１を載せるようなものであっても良い。
【００２２】
水抜き孔２と支持脚３を設置後、プランター本体１の内外の全表面をショットブラストで錆び落としし、その内外の全表面にジンク塗料、鉛系塗料等の防錆塗料を塗布する。以上で植物栽培用プランターＡは完成する。使用に当たっては、図１（ａ），（ｂ）に示すように、植物栽培用プランターＡ内に土を充填し、花や植木等の植物を植栽する。また、植物栽培用プランターＡの底部には、すのこを入れ通液性、通気性を確保することも可能である。なお、図１（ａ），（ｂ）に示すような植物栽培用プランターＡであれば、１体の高圧用金属製容器４の廃品から２体の植物栽培用プランターＡを製作することができる。
【００２３】
図５に示す植物栽培用プランターＡは、主に下鏡部８で形成された植物栽培用プランターＡである。この植物栽培用プランターＡは、高圧用金属製容器４の直胴部９の下部を、輪切りするようにして切断して得られた主に下鏡部８で成るプランター本体１に水抜き孔２を設けると共に、プランター本体１の内外の全表面に防錆塗料を塗布したものである。この植物栽培用プランターＡの水抜き孔２は底面の略中央１箇所に設けられるが、支持脚３は、スカート１０を利用すれば良く、改めて設ける必要はない。なお、図５に示す植物栽培用プランターＡのプランター本体１は、直胴部９の下部が輪切りされたように切断されているため、下鏡部８だけでなくその上部は一部分直胴部９で形成されている。
【００２４】
なお、直胴部９を含まず下鏡部８だけで植物栽培用プランターＡを形成する場合は、下鏡部８の上端近傍を輪切りするようにして切断するので、例えば図９に示す形状のようになる。
【００２５】
図６及び図７に示す植物栽培用プランターＡは、主に上鏡部７で形成された植物栽培用プランターＡである。この植物栽培用プランターＡは、高圧用金属製容器４の直胴部９の上部を、輪切りするようにして切断して得られた主に上鏡部９で成るプランター本体１の内外の全表面に防錆塗料を塗布したものである。この植物栽培用プランターＡの水抜き孔２は口金１１を利用すれば良く、改めて設ける必要はない。なお、図６に示す植物栽培用プランターＡでは１対の支持脚３を設けるが、図７に示す植物栽培用プランターＡでは吊り下げ用のチェーン１４を設ける。吊り下げ用のチェーン１４を設けることにより吊り下げ型プランターとして利用することができる。また、図６に示す植物栽培用プランターＡのプランター本体１は、高圧用金属製容器４を立てた状態での直胴部９の上部が輪切りされたように切断されているため、上鏡部７だけでなくその上部は一部分直胴部９で形成されている。
【００２６】
なお、直胴部９を含まず上鏡部７だけで植物栽培用プランターＡを形成する場合は、上鏡部７の下端近傍を輪切りするようにして切断するので、例えば図１０に示す形状のようになる。
【００２７】
図８（ａ），（ｂ）に示す植物栽培用プランターＡは、直胴部９のみで成る植物栽培用プランターＡである。この植物栽培用プランターＡは、高圧用金属製容器４からその上下端部の上鏡部７と下鏡部８を切断除去し、残った円筒状の直胴部９をその軸方向と平行に２分割して得られた半円筒体５と、その半円筒体５の開放した両側端面を被覆する端面板６より成る。この端面板６は半円形の板であり、半円筒体５と同じ金属製であることが望ましく、半円筒体５の端縁に溶接等で取り付けられる。このようにして組み立てられたプランター本体１は、その内外の全表面に防錆塗料が塗布される。また、半円筒体５の底面の両端近傍には、図８（ａ）に示す左右２箇所に水抜き孔２と、支持脚３が夫々設けられている。
【００２８】
なお、端面板６が金属製であれば、廃棄後も鉄スクラップやアルミニウムスクラップ等の金属スクラップ（金属原料）として再活用することができるが、端面板６は必ずしも金属製である必要はない。また、必ずしも半円形である必要性もなく、半円筒体５の開放した両側端面を被覆することさえできればどのような形状であっても良い。また、端面板６下縁と半円筒体５の端縁の間に隙間があれば水抜き孔２の代用とすることもできる。
【００２９】
また、上記の説明では、高圧用金属製容器４から上下端部の上鏡部７と下鏡部８を切断除去した後、残った円筒状の直胴部９をその軸方向と平行に２分割して半円筒体５を得ると説明したが、先に２分割した後に、上鏡部７と下鏡部８に相当する部位を切断除去しても良いことは勿論である。
【００３０】
図９に示す植物栽培用プランターＡは、図８に示す植物栽培用プランターＡを製作する際に切断除去した下鏡部８を利用して製作した植物栽培用プランターＡであり、図１０に示す植物栽培用プランターＡは、図８に示す植物栽培用プランターＡを製作する際に切断除去した上鏡部７を利用して製作した植物栽培用プランターＡである。夫々の植物栽培用プランターＡとも、直胴部９との嵌合溶接部は切断除去されている。
【００３１】
なお、図８（ａ），（ｂ）に示すような植物栽培用プランターＡと、図９並びに図１０に示す植物栽培用プランターＡを１体の高圧用金属製容器４の廃品0から製作するとすれば、１体の高圧用金属製容器４の廃品から４体の植物栽培用プランターＡを製作することができる。
【００３２】
図１１〜図１４に示す植物栽培用プランターＡは、今までに説明した３部制容器から製作した植物栽培用プランターＡではなく、２部制容器から製作した植物栽培用プランターＡである。特に３部制容器から製作した植物栽培用プランターＡとは大差はないが、図１１に示す植物栽培用プランターＡと図１４に示す植物栽培用プランターＡは、図１や図８に示す直胴部９で形成された植物栽培用プランターＡと異なり上鏡部７と下鏡部８で形成されており、プランター本体の表面の横方向中間部に上鏡部７と下鏡部８を嵌合溶接した部位が正面視で上下方向に線状に現れる。その他の点については３部制容器から製作した各種植物栽培用プランターＡと略同様であるため詳細な説明は省略する。
【００３３】
なお、金属製の植物栽培用プランターＡは、プラスチック製、木製、陶磁器製、ＦＲＰ製のものと比較して熱伝導率が高いため、夏の炎天下等では土壌温度が高温になる可能性がある。その対策として、植物栽培用プランターＡの内壁面に適宜厚みの発砲スチロール等の断熱材を貼着しても良い。
【図面の簡単な説明】
【００３４】
【図１】本発明の一実施形態の植物栽培用プランターに植物を植栽した状態を示すもので、（ａ）は正面図、（ｂ）は側面図である。
【図２】同実施形態のプランター本体の切断前の状態を示すもので、（ａ）は正面図、（ｂ）は側面図である。
【図３】同実施形態のプランター本体の切断後の状態を示すもので、（ａ）は正面図、（ｂ）は側面図である。
【図４】同実施形態の完成状態を示すもので、（ａ）は正面図、（ｂ）は側面図である。
【図５】本発明の異なる実施形態の植物栽培用プランターを示す正面図である。
【図６】本発明の更に異なる実施形態の植物栽培用プランターを示す正面図である。
【図７】本発明の更に異なる実施形態の植物栽培用プランターを示す正面図である。
【図８】本発明の更に異なる実施形態の植物栽培用プランターを示す正面図である。
【図９】本発明の更に異なる実施形態の植物栽培用プランターを示す正面図である。
【図１０】本発明の更に異なる実施形態の植物栽培用プランターを示す正面図である。
【図１１】２部制容器から製作した本発明の更に異なる実施形態の植物栽培用プランターを示す正面図である。
【図１２】２部制容器から製作した本発明の更に異なる実施形態の植物栽培用プランターを示す正面図である。
【図１３】２部制容器から製作した本発明の更に異なる実施形態の植物栽培用プランターを示す正面図である。
【図１４】２部制容器から製作した本発明の更に異なる実施形態の植物栽培用プランターを示す正面図である。
【図１５】ＬＰガスの２部制容器を示す正面図である。
【図１６】ＬＰガスの３部制容器を示す正面図である。
【符号の説明】
【００３５】
Ａ…植物栽培用プランター
１…プランター本体
２…水抜き孔
３…支持脚
４…高圧用金属製容器
５…半円筒体
６…端面板
７…上鏡部
８…下鏡部
【図１】
2008092872.tif 000003
【図２】
2008092872.tif 000004
【図３】
2008092872.tif 000005
【図４】
2008092872.tif 000006
【図５】
2008092872.tif 000007
【図６】
2008092872.tif 000008
【図７】
2008092872.tif 000009
【図８】
2008092872.tif 000010
【図９】
2008092872.tif 000011
【図１０】
2008092872.tif 000012
【図１１】
2008092872.tif 000013
【図１２】
2008092872.tif 000014
【図１３】
2008092872.tif 000015
【図１４】
2008092872.tif 000016
【図１５】
2008092872.tif 000017
【図１６】
2008092872.tif 000018